(57)【要約】      （修正有）【課題】回転ギア及びそれと関連する部材やギアの損傷や破損の虞をなくして品質及び信頼性を向上する。【解決手段】 扉体３を基体２に対し閉位置と開位置とに回動切り換える扉開閉機構において、扉体３は支持用アーム３１を突設し、該アーム３１に設けられた円弧状ギア部３７及びギア部３７の円弧略中心に付設された回転ギア７を有している。基体２はギア部３７と噛み合うよう設けられた内歯形の第１ギア部２８及び弾性位置変位可能に配設されて回転ギア７と噛み合う第２ギア部９ｂを有している。そして、扉体３が第１ギア部２８に対するギア部３７及び第２ギア部９ｂに対する回転ギア７の各噛み合いを介して第１ギア部２８に対応した軌跡で回動切り換えられると共に、前記閉位置で外から基体底面方向へ荷重を受けたとき、該荷重に起因して回転ギア７に加わる負荷を第２ギア部９ｂの弾性位置変位により吸収可能になっている。【選択図】図６
2005139624.tif 000002
【特許請求の範囲】
【請求項１】
扉体を箱状基体に対し該基体の開口部を閉じる閉位置と前記開口部を開放する開位置とに回動切り換える扉開閉機構において、
前記扉体は支持用アームを突設し、該アームに設けられた円弧状ギア部及び該ギア部の円弧略中心に付設された回転ギアを有し、
前記基体は前記円弧状ギア部と噛み合うよう設けられた内歯形の第１ギア部及び弾性位置変位可能に配設されて前記回転ギアと噛み合う第２ギア部を有し、
前記扉体が前記第１ギア部に対する円弧状ギア部及び前記第２ギア部に対する回転ギアの各噛み合いを介して前記第１ギア部に対応した軌跡で回動切り換えられると共に、前記閉位置で外から前記基体底面方向へ荷重を受けたとき、該荷重に起因して前記回転ギアに加わる負荷を前記第２ギア部の弾性位置変位により吸収可能になっていることを特徴とする扉体の開閉機構。
【請求項２】
前記基体に取り付けられて前記第２ギア部を弾性位置変位可能に支持しているギアカバーを有している請求項１に記載の扉開閉機構。
【請求項３】
前記第２ギア部が、前記ギアカバーに対し摺動可能に取り付けられ、かつ一方向へ付勢されている可動体に設けられている請求項２に記載の扉開閉機構。
【請求項４】
扉体が箱状基体の開口部を閉じる閉位置と前記開口部を開放する開位置とに回動切り換えられると共に、前記開位置の方向へ付勢している付勢手段、及び該付勢手段の付勢力に抗し前記閉位置で解除可能に係止するロック手段、並びにロータリー式のダンパー手段を備えた扉開閉装置において、
前記扉体が請求項１から３の何れかに記載の扉開閉機構により閉位置と開位置とに切り換えられると共に、前記ダンパー手段が前記アームに本体を取り付けかつ該本体の出力軸に前記扉開閉機構の回転ギアを装着していることを特徴とする扉開閉装置。
【請求項５】
前記ダンパー手段の本体のうち前記出力軸と反対側である本体底面に突設された軸部と、前記基体に突設されて前記第１ギア部とほぼ同じ軌跡からなる円弧状の案内壁部とからなり、前記扉体の回動切り換え過程で前記軸部を前記案内壁部に沿って摺動するガイド手段を有している請求項４に記載の扉開閉装置。
【発明の詳細な説明】
【技術分野】
【０００１】
本発明は、箱状基体に対し扉体を開閉する扉開閉機構及びそれを用いた装置に関するものである。なお、本明細書において、「箱状基体」は各種の収容本体やハウジング等を含み、「扉体」は蓋体や遮蔽体等を含む広義なものである。
【背景技術】
【０００２】
扉開閉機構は、箱状基体の開口部に対し扉体を枢軸等を介して閉位置と開位置とに回動切り換える構成だと、扉体が開位置で基体から大きく突出して見栄えを損ねたり外観が悪くなる。図８の扉開閉機構及び装置は、そのような問題を解消する上で本出願人らが開発したものである（特許文献１）。同図の扉開閉機構は、（ａ），（ｂ）に示されるように、扉体３を開位置の方向へ付勢している付勢手段５と、付勢手段５の付勢力に抗し扉体３を閉位置で解除可能に係止するロック手段４と、制動用のダンパー手段６とを備えた扉開閉装置としてのボックス１に採用されている。ここで、基体２は、上側がフランジ部２６で縁取りされ、側壁が後側２３ａを前側２３ｂに比べて外へ張り出しており、該張出端面に内外を連通する窓部を形成している。扉体３は、基体２の内側から前記窓部を通して外へ配置される支持用アーム３１を有し、ダンパー手段６をアーム３１の円板部３２側に取り付けている。ロック手段４は、押し操作により扉体３の係合片３４を係止し、次の押し操作により係止解除する。付勢手段５は、一端が基体２の係止突起２９に係止され、他端がアーム３１の軸部３５に係止されている。この機構特徴は、（ｂ）の模式拡大図に示されるように、扉体３のアーム３１に設けられた円弧状ギア部３７及び該ギア部３７の円弧中心に付設された回転ギア７を有していること、回転ギア７がダンパー手段６を構成していること、基体２が弓形リブ２７に設けられてギア部３７と噛み合う内歯形の第１固定ギア部２７ａ及び該第１固定ギア２７ａの内側に設けられて回転ギア７と噛み合う第２固定ギア部２８を有していること等にある。
【０００３】
以上の開閉機構では、扉体３がギア部３７と第１固定ギア部２７ａ及び回転ギア７と第２固定ギア部２８との各噛み合い保って、第１固定ギア部２７ａの内歯形のギア部分に沿った軌跡で動かされる。そして、扉体３が同図の閉位置から開位置、開位置から閉位置に回動切り換えられるとき、扉体３の回動支点を第１固定ギア部２７ａの内歯形のギア部分（及び第２固定ギア部２８のギア部分）に応じ下又は上に動かすことにより、開位置で扉体３の基体２内からの張出量を抑えることができ、回動切り換え過程において、ダンパー手段６の制動と共にギア同士の噛み合いに起因した良好な作動を得られるようにする。
【０００４】
【特許文献１】特開２００３−１２９７４２号公報
【発明の開示】
【発明が解決しようとする課題】
【０００５】
上記した扉開閉機構及び装置にあっては、扉体が閉位置において、上から大きな荷重Ｆを受けると、該荷重が基体側の第２固定ギア部２８と噛み合っている回転ギア７に加わってギア噛み合い部や回転ギア７の枢支部を損傷する虞、また、回転ギア７がダンパー手段６の出力軸に装着している場合はダンパー手段６を構成し本体内に充填されているオイルが漏れる虞もある。このような不具合は、扉体３の上に物体を不用意に落下したり置いたりする以外にも、扉体３をアームレストや簡易テーブル等として構成するような態様において顕著となる。そこで、本発明の目的は、以上のような課題を解消して、回転ギア及びそれと関連する部材やギアの損傷や破損の虞をなくして品質及び信頼性を向上したり、用途的な制約も受けないようにすることにある。他の目的は以下の内容説明の中で明らかにする。
【課題を解決するための手段】
【０００６】
請求項１の発明は、扉体を箱状基体に対し該基体の開口部を閉じる閉位置と前記開口部を開放する開位置とに回動切り換える扉開閉機構において、前記扉体は支持用アームを突設し、該アームに設けられた円弧状ギア部及び該ギア部の円弧略中心に付設された回転ギアを有し、前記基体は前記円弧状ギア部と噛み合うよう設けられた内歯形の第１ギア部及び弾性位置変位可能に配設されて前記回転ギアと噛み合う第２ギア部を有し、前記扉体が前記第１ギア部に対する円弧状ギア部及び前記第２ギア部に対する回転ギアの各噛み合いを介して前記第１ギア部に対応した軌跡で回動切り換えられると共に、前記閉位置で外から前記基体底面方向へ荷重を受けたとき、該荷重に起因して前記回転ギアに加わる負荷を前記第２ギア部の弾性位置変位により吸収可能になっていることを特徴としている。ここで、「弾性位置変位可能」とは第２ギア部がその設置箇所や位置を弾性的に可変されるよう設けられている意味である。
以上の扉開閉機構は、扉体が基体側の第１ギア部に対する円弧状ギア部の噛み合いと、第２ギア部に対する回転ギアの噛み合いとを介して支持されており、閉位置から開位置、開位置から閉位置に切り換えられるとき、扉体の回動支点を第１ギア部の内歯形のギア部分（及び第２ギア部のギア部分）に応じて回動されるため図８のものと同様な利点、つまり、例えば、開位置で扉体を基体内に入れる場合に扉体の張出量を抑えて外観特性を向上したり、回動切り換え過程において、急激な回動をギア同士の噛み合いにより抑制して作動特性を向上する。加えて、この機構では、扉体が閉位置で外から基体底面方向の荷重を受けたとき、該荷重に起因して回転ギアに加わる負荷を当該回転ギアと噛み合っている第２ギア部の弾性位置変位により吸収することから、回転ギア及び第２ギアの噛み合い部や回転ギアの支持部等の損傷を確実に防ぐことができる。
【０００７】
以上の扉開閉機構は、前記基体に取り付けられて前記第２ギア部を弾性位置変位可能に支持しているギアカバーを有していることが好ましい（請求項２）。これは、第２ギア部を基体に弾性変位可能に設けてもよいが、ギアカバーに付設する方が簡易であり、しかも実施例のように基体側の第１ギア部と扉体側の円弧状ギア部及び回転ギア、つまりギア機構部をギアカバーにより覆って外観特性や作動特性等を維持できるからである。この場合、前記第２ギア部は、前記ギアカバーに対し摺動可能に取り付けられ、かつ一方向へ付勢されている可動体に設けられていることが好ましい（請求項３）。これは、第２ギア部がギアカバーに可動体を介して設けられることで、例えば、第２ギア部の弾性支持力を適度な大きさに確保したり摺動支持構造を簡易化できるからである。
【０００８】
請求項４の発明は、以上の扉開閉機構を装置として捉えたもので、扉体が箱状基体の開口部を閉じる閉位置と前記開口部を開放する開位置とに回動切り換えられると共に、前記開位置の方向へ付勢している付勢手段、及び該付勢手段の付勢力に抗し前記閉位置で解除可能に係止するロック手段、並びにロータリー式のダンパー手段を備えた扉開閉装置において、前記扉体が請求項１から３の何れかに記載の扉開閉機構により閉位置と開位置とに切り換えられると共に、前記ダンパー手段が前記アームに本体を取り付けかつ該本体の出力軸に前記扉開閉機構の回転ギアを装着していることを特徴としている。
以上の扉開閉装置では、上述した扉開閉機構による利点に加え、扉体を付勢手段の付勢力で閉位置から開位置へ切り換えたり、扉体をその付勢力に抗して開位置から閉位置に切り換える際の動きをダンパー手段によってもスムースにでき、又、ダンパー手段が出力軸に扉開閉機構の回転ギアを装着しているため組立性を簡略化できる。以上の扉開閉装置は、前記ダンパー手段の本体のうち前記出力軸と反対側である本体底面に突設された軸部と、前記基体に突設されて前記第１ギア部とほぼ同じ軌跡からなる円弧状の案内壁部部とからなり、前記扉体の回動切り換え過程で前記軸部を前記案内壁部に沿って摺動するガイド手段を有していることが好ましい（請求項５）。これは、例えば、発明の扉開閉装置がガイド手段によっても扉体の回動切り換え作動をより安定維持できるからである。
【発明の効果】
【０００９】
本発明の扉開閉機構及び装置では次のような効果を有している。
・請求項１の発明は、扉開閉機構として第２ギア部を弾性位置変位可能に設けることにより課題に挙げたような問題を一掃でき、特許文献１のものに比べ品質及び信頼性を向上できる。そして、例えば、扉体をアームレスト部や簡易テーブル等として兼用、つまり扉体が大きな荷重を受けるような設計でも適用可能となり用途拡大を図ることができる。以上の発明機構において、請求項２の場合は弾性位置変位可能な第２ギア部をギアカバーを介し構成簡易に実現できる。請求項３の場合は第２ギア部の支持構造として可動体を介することでより簡易化できる。
・請求項４の発明は、付勢手段、ロック手段、ダンパー手段を装備する扉開閉装置として、前記扉開閉機構の利点に加え、同機構の回転ギアをダンパー手段のもので代用でき、これにより組立性を良好にしたりコスト低減化を実現できる。以上の発明装置において、請求項５の場合はガイド手段によって回動切り換え特性をより安定化できる。
【発明を実施するための最良の形態】
【００１０】
本発明の最良な形態を図面の実施例を参照しながら説明する。なお、図１〜７において、図８の従来品と同じ又は類似する部材に同一符号を付している。以下の説明では、全体の概要を述べた後、実施例により要部を明らかにする。
【００１１】
（概要）実施例の扉開閉装置は、箱状基体２及び該基体２の上開口を開閉する扉体３からなるボックス１を一例としており、扉体３を閉位置から開位置の方向へ付勢している付勢手段５と、扉体３を付勢手段５の付勢力に抗し上開口を塞ぐ閉位置で解除可能に係止するロック手段４と、制動用のダンパー手段６と、回動用のガイド手段（８ｂ，２９ａ）とを備え、扉体５が発明の扉開閉機構により開位置と閉位置とに回動切り換えられる。該扉開閉機構は、扉体３が支持用アーム３１を突設し、該アーム３１に設けられた円弧状ギア部３７及び該ギア部３７の円弧中心に付設された回転ギア７を有している点、回転ギア７がダンパー手段６を構成しているものを兼用している点、基体２がアーム３１を上開口から対応側面の外へ突出配置する窓部２４を形成している点、基体２が円弧状ギア部３７と噛み合うよう設けられた内歯形の第１ギア部２７ａ及び弾性位置変位可能に配設されて回転ギア７と噛み合う第２ギア部２８を有している点、第２ギア部２８が可動体９に設けられて基体２に後付けされるギアカバー１０に対し可動体９を介し弾性変位される点を特徴としている。なお、主な部材である基体２、扉体３、可動体９、ギアカバー１０は共に樹脂成形品である。
【実施例】
【００１２】
箱状基体２は、上開口し、内部２１が前側中間部のロック手段用配置部２２及び上フランジ部２６等で区画形成され、両側壁部２３が後壁２３ａに対し前壁２３ｂを内部２１側へ一段落ち込んでおり、該落ち込んだ段差部の端面に窓部２４を開口形成し、前壁部２５が配置部２２に対応した空間部２５ａを有している。上フランジ部２６は、扉体３が閉位置で収まるよう前側及び両側を張り出した状態で上開口を縁取りしている。内部２１は、扉体３を背面側に立てた状態で収容可能な大きさとなっている。配置部２２には取付孔穴が設けられ、ロック手段４がその取付穴に装着されている。ロック手段４は、特許文献１と同様なプッシュ・プッシュ係止機構、つまり扉体３を閉位置方向へ押しながら回動すると係止され、更に同方向へ押して手を離すと係止解除する構造からなる。但し、ロック手段４はこれ以外の機構でもよい。また、この例では、基体２が車室内のインストルメントパネルやセンターコンソールの凹所にフランジ部２６より下側が入れられた状態で設置される。
【００１３】
両側壁２３は同形であり、前側２３ａが後側２３ｂより内側に落ち込んでおり、後側２３ｂの前端面に設けられて基体２の内外を連通している窓部２４を有している。前側２３ａには、図１及び図６に示されるように、窓部２４の前方に概略円弧状のギア兼取付用リブ２７と、ガイド用リブ２９とが突設されている。リブ２７は、第１ギア部２８を形成している円弧部２７ａ、円弧部２７ａの下側に連結されている略Ｌ形の部分２７ｂ、Ｌ形の水平片から突出されている係合孔付きの部分２７ｃとからなる。第１ギア部２８は、連続した歯を形成している内歯車形であり、前方に向けて凸でかつ上下に配置された状態となっている。リブ２９は、リブ２７の円弧内に位置し、円弧部２７ａとほぼ同心の円弧状になっている案内壁部２９ａと、案内壁部２９ａの下端に略中間部を連結した状態で斜めに延びている係止壁部２９ｂと、係止壁部２９ｂの上端側にあって所定間隔を保っている略筒状の支持壁部２９ｃとからなる。案内壁部２９ａは、後述するボス８の軸部８ｂを円弧内面に沿って摺動案内する箇所であり、上端側が前記軸部８ｂを内側で受け止め可能に形成され（図６（ｂ）参照）、下端側が係止壁部２９ｂに対し次第に間隔を狭めた状態で連結されて軸部８ｂの下移動を係止壁部２９ｂとの間で規制可能に形成されている（図７（ｂ）参照）。支持壁部２９ｃは付勢手段５を支持する箇所である。すなわち、付勢手段５は、巻ばねからなり、巻ばね部が支持壁部２９ｃに挿入保持され、巻ばね部の一端５ａが係止壁部２９ｂに係止され、巻ばね部の他端５ｂが付勢力を増大しながら前記軸部８ｂに掛け止めされる。なお、付勢手段５は、扉体３を開位置の方向へ付勢するという要件を満たせばよく、図８のような構成であっても差し支えない。
【００１４】
前記リブ２７には可動体９を組み付けたギアカバー１０が取り付けられる。ギアカバー１０は、図１と図４及び図５に示されるように、第１ギア部２８、リブ２９、付勢手段５等を内側に目視不能に覆うと共に、後側部を欠如した部分１０ａから扉体３のアーム３１を内側に挿入可能な形状であり、可動体９に対応して設けられた略中央の開口部１１と、リブ２７側に対応する前縁に突設された取付部１３と、下面前縁から突設された舌片１４とを有している。開口部１１の両内側面には係止片１２が対向した状態で設けられている。可動体９は、本体９ａと、該本体９ｂの前面上側に突設された第２ギア部９ｂと、本体９ａの底面に下設された弾性部９ｃとを一体的に形成している。また、本体９ａは、概略矩形枠状をなし、両側にあって、前縁が少し張り出し、該張出部分と若干の隙間を保って係止爪９ｄを突設している（図５（ｂ）参照）。第２ギア部９ｂは、円柱の外周に歯を連続形成した平歯車構成であり、第１ギア部２８の円弧略中心に配置されて回転ギア７と噛み合う。弾性部９ｃは、弓形又はＵ形に形成されており、本体９ａが下向きの負荷を受けると空洞部を縮小するよう弾性変形される。
【００１５】
以上の可動体９は、図５に示されるように、ギアカバー１０の開口部１１に対しカバー内側からの挿入操作により組み付けられる。すなわち、可動体９は、開口部１１内に押し込められると、各係止爪９ｄが開口部内の対応する係止片１２を弾性的に乗り越えて、前記した張出部分との間に係止片１２を挟持し、該挟持状態で開口部１１内に上下摺動可能に支持される。この支持状態では第２ギア部９ｂが内側に突出されている。一方、ギアカバー１０は、図３の示されるように、基体２の側壁２３に対し、取付部１３の側をリブ２７の対応部に重ね、かつ、舌片１４をリブ２７のうち部分２７ｃの係合孔に係合した状態に位置決め配置されて、不図示のねじ等により取り付けられる。
【００１６】
これに対し、扉体３は、メインの上面がカバー材３０で被覆される平板状をなし、後両側に突設された支持用アーム３１と、該アーム３１の先端に設けられた円板部３２とを有している。アーム３１は、基体２の対応する窓部２４から外、つまり側壁部２３の外前側２３ｂへ余裕を持って突出可能になっている。円板部３２には、ダンパー手段用の段差状取付部３３と、取付部３３の中心を貫通している嵌合孔３３ａと、円弧外周のギア部３７とが設けられている。嵌合孔３３ａは、後述するボス８に対応して、取付部３３側の径大孔及び内側の径小孔とから形成されている（図４参照）。
【００１７】
このうち、取付部３３にはダンパー手段６が装着される。ダンパー手段６は、よく知られているロータリー式のオイルダンパー等からなり、本体６ａに充填された作動油の抵抗を受けている出力軸及び該出力軸に装着された回転ギア７を有している。また、この構造では本体６ａの出力軸と反対側である底面にボス８が連結される。このボス８は、径大取付部８ａ及び該取付部８ａより径小筒状の軸部８ｂを有し、本体６ａの底面に対し取付部８ａを介し適宜な方法で結合される。そして、ダンパー手段６は、本体６ａが軸部８ｂを嵌合孔３３ａから外へ突出した状態で、取付部３３の段差内に配置されて、不図示のねじ等により取り付けられる。取付状態において、軸部８ｂは、アーム３１の内側に突出されて前記リブ２９のうち案内壁部２９ａの円弧内面に軽く当接可能となる。回転ギア７は、アーム３１の外側に突出されて前記可動体９の第２ギア部９ｂの歯と噛合可能となる。
【００１８】
以上の扉体３は、例えば、次のような要領にて基体２に組み立てられる。まず、付勢手段５がその巻ばね部を支持壁部２９ｃに保持した状態で、一端５ａが係止壁部２９ｂの沿って配置される。この状態から、アーム３１が対応する窓部２４から突出されて、ギア部３７を第１ギア部２８と噛み合わせた後、付勢手段５の他端５ｂがばね圧を増大しながら軸部８ｂに掛け止めされる。次に、可動体９を組み込んだギアカバー１０が上述した手順で基体２に取り付けられる。その際、可動体９の第２ギア部９ｂが回転ギア回転ギア７と噛み合わされる。すると、扉体３は、基体２に対しギア部３７と第１ギア部２８、回転ギア７と第２ギア部９ｂの各ギア部同士の噛み合いを介し回動可能に支持される。なお、本発明の扉開閉機構は、以上のダンパー手段６を省略することも可能である。この場合は、例えば、回転ギア７と同様な回転ギアが円板部３２に回動自在に付設され、又、ボス８が円板部３２の対応部に付設されることになる。
【００１９】
（作動）次に、以上の扉体３の開閉動作を図６と図７を参照しながら述べる。なお、図６（ａ）は扉体が閉位置に配置された状態を模式的に示す側面図、同（ｂ）はその閉位置におけるボス８及び付勢手段５の態様を模式的に示す図、図７（ａ）は扉体が開位置に配置された状態を模式的に示す側面図、同（ｂ）はその開位置におけるボス８及び付勢手段５の態様を模式的に示す図である。各図では、ギア機構部がギアカバー１０で見えなくなるため、ギアカバー１０、可動体９、付勢手段５などを想像線で図示している。
【００２０】
図６は扉体３が基体２の開口部を完全に閉じた閉位置の状態である。この閉位置では、扉体３がロック手段４により付勢手段５の付勢力に抗して係止されている。ギア部３７は第１ギア部２８の内歯のうち上側の歯と噛み合い、回転ギア７は第２ギア部９ｂの外周の上側の歯と噛み合っている。そして、扉体３を開位置に切り換えるときは、扉体３の前側を下側（これは扉体３の閉位置から扉体３を更に同方向、つまり閉方向への押し操作となる）に押して離す。すると、扉体３は、上述した係合片３４がロック手段４から係止解除された後、付勢手段５の付勢力により開位置方向へ回動される。
【００２１】
図７の開位置に達する過程では、ギア部３７が第１ギア部２８の内歯に噛み合いながら上側の歯から下側の歯と言うように下移動する。同時に、回転ギア７は、第２ギア部９ｂの外周の歯と噛み合いながらその第２ギア部９ｂの周囲を回転、つまりギア部３７と連動して上側の歯から下側の歯と言うように下移動する。即ち、この構造では、ギア部３７が第１ギア部２７ａの内歯の軌跡に沿って回転移動し、回転ギア７が第２ギア部９ｂを中心とする遊星運動に類似の動きを得ることにより、扉体３が下移動を伴って開位置方向へ回動切り換えられる。その切り換え過程では、前記した各ギア部同士の噛み合いにより速度を緩和し、かつダンパー手段６による制動を受ける。このため、扉体３は、扉体３の閉位置から開位置まで、常に略定速で移動される。図７の開位置では、扉体３が前記した下移動により基体２内から張り出す張出部分を減じており、外観特性も良好となる。また、扉体３を再び閉位置にする場合は、扉体３の張出部分を付勢部材５の付勢力に抗し引っ張る。すると、今度は、ギア部３７が第１ギア部２８の内歯に噛み合いながら下側の歯から上側の歯と言うように上移動する。同時に、回転ギア７は、第２ギア部９ｂの外周の歯と噛み合いながらその第２ギア部９ｂの周囲を回転、つまりギア部３７と連動して下側の歯から上側の歯と言うように上移動する。閉位置では、係合片３４がロック手段４に対しプッシュ動作にて係止される。
【００２２】
以上の基本作動は特許文献１とほぼ同様である。この構造では特許文献１に比べ次のような作動が得られる点で優れている。
(1)、扉体３が図６の閉位置にあるとき、下向きの大きな荷重Ｆを受けると、ギア機構部のうち、特に回転ギア７及び第２ギア部９ｂに負荷が加わる。すなわち、図５（ｃ），（ｄ）に示したように、第２ギア部９ｂが回転ギア７側から下向きの負荷Ｙを受けると、可動体９が弾性部９ｃの弾性変位を伴って相対的に下方へ位置変位する。この結果、回転ギア７は、第２ギア部９ｂが弾性部９ｃの弾性位置変位により負荷を緩和吸収するためギア噛み合い部及び出力軸等に過大な負荷を受けない。これにより、この構造では、ダンパー手段６の出力軸やギア同士の噛み合い歯を損傷したり本体６ａからのオイル漏れの虞を確実に防ぐことができる。
(2)、この構造では、扉体３が上述した各ギア同士の噛み合いを介して回動される。その回動過程では、本体６ａに結合された軸部８ｂが案内壁部２９ａに沿って摺動されるため、ボックス１が上下方向の振動を受けても各ギア同士の噛み合いを安定維持できる。(3)、この構造では、案内壁部２９ａの上端側が軸部８ｂを内側で受け止め可能な湾曲形状に形成されているため、扉体３が閉位置で上記した下向き荷重Ｆを受けると、案内壁部２９ａの上端部分及び軸部８ｂの筒形状による衝撃吸収も得られる（図６（ｂ）参照）。また、案内壁部２９ｂの下端側が係止壁部２９ｂに対し次第に間隔を狭めるよう設けられて、扉体３が開位置に達したときに、軸部８ｂの下移動を案内壁部２９ｂの下端側と係止壁部２９ｂとの間で規制するため、扉体３が開位置で不用意にがたつくというようなこともなくなる（図７（ｂ）参照）。
(4)、なお、上記(1)〜(3)の作動は、基体２が実施例の縦配置に代えて横配置、つまり開口部を前後方向に設定する場合にも同様に機能する。また、扉体３がアームレスト部や簡易テーブル部として兼用される仕様でも本発明機構及び装置の適用を可能にする。
【図面の簡単な説明】
【００２３】
【図１】本発明を適用したボックスを分解して示す模式構成図である。
【図２】図１のボックスを扉体の閉位置で示す模式部分正面図である。
【図３】図１のボックスを扉体の閉位置で示す模式側面図である。
【図４】図３のＡ−Ａ線で断面した模式断面図である。
【図５】図１のギアカバーに第２ギア部を組み込んだ状態を模式的に示し、（ｂ）は（ａ）のＢ−Ｂ線断面図、（ｃ）と（ｄ）は（ａ）のＣ−Ｃ線断面図である。
【図６】上記ボックスを扉体の閉位置で示す模式作動図である。
【図７】上記ボックスを扉体の開位置で示す模式作動図である。
【図８】従来の蓋開閉機構及び装置を示す説明図である。
【符号の説明】
【００２４】
１…ボックス（扉開閉装置）
２…箱状基体
３…扉体（３１はアーム、３４は係合片）
４…ロック手段（プッシュ・プッシュ係止機構）
５…付勢手段
６…ダンパー手段（７は回転ギア）
８ｂ…軸部（ガイド手段）
９…可動体（９ａは本体、９ｂは第２ギア部、９ｃは弾性部）
１０…ギアカバー
２８…第１ギア部
２９ａ…案内壁部（ガイド手段）
３７…円弧状ギア部
【図１】
2005139624.tif 000003
【図２】
2005139624.tif 000004
【図３】
2005139624.tif 000005
【図４】
2005139624.tif 000006
【図５】
2005139624.tif 000007
【図６】
2005139624.tif 000008
【図７】
2005139624.tif 000009
【図８】
2005139624.tif 000010